(57)【要約】      （修正有）【課題】１枚のシートから形成した団扇において、把持感を与えるとともに、把持孔周辺の部位の強度を確保する。【解決手段】１枚のシートから形成した団扇１において、前記シートに形成した把持孔５と、この把持孔５近傍の部位を所定の折り曲げ稜線に沿って折り返すことにより形成した把持部３と、この把持部３の内部に略全体を収納させてなる係止舌片４とを具備する。【選択図】図１
0003152520.tif 000002
【実用新案登録請求の範囲】
【請求項１】
１枚のシートから形成した団扇であって、前記シートに形成した把持孔と、この把持孔近傍の部位を所定の折り曲げ稜線に沿って折り返すことにより形成した把持部と、この把持部の内部に略全体を収納させてなる係止舌片とを具備することを特徴とする団扇。
【請求項２】
前記把持部のいずれかの折り曲げ稜線の上に前記係止舌片を差し込み収納させるための係止孔を設けた請求項１記載の団扇。
【請求項３】
前記シートの周縁と把持孔との間に、前記把持孔から遠い順に第１、第２、及び第３の折り曲げ稜線を設定し、前記第１、第２、及び第３の折り曲げ稜線に沿って前記シートを同一方向に折り曲げることにより前記把持部を折り返して形成するようにしているものであって、前記第１の折り曲げ稜線上に前記係止舌片を差し込み収納させるための係止孔を設けた請求項１又は２記載の団扇。
【請求項４】
前記係止舌片を、前記把持孔内から前記把持孔と反対方向に折り返して形成しているとともに、前記把持部の第１及び第２の折り曲げ稜線に沿ってシートを折り曲げ、さらに前記係止舌片を折り返して形成した状態で、前記係止舌片の先端部が前記係止孔内に位置する請求項３記載の団扇。
【請求項５】
前記折り曲げ稜線に予め折り癖を付している請求項１、２、３又は４記載の団扇。
【考案の詳細な説明】
【技術分野】
【０００１】
本考案は、１枚のシートから形成した団扇に関する。
【背景技術】
【０００２】
従来より、イベント時等に配布される物品の一種として、１枚のシートに把持孔を形成して形成した団扇が広く知られている。このような団扇は、前記把持孔に指を挿通させて把持した状態で使用する（例えば、特許文献１を参照）。ところで、このような構成の団扇の厚さ寸法は、全域にわたってシートの厚さ寸法と同一である。すなわち、この団扇が利用される際に利用者に把持される把持部の厚さ寸法もシートの他の部分厚さ寸法と同一であるが、このような団扇においては、把持孔に指等を通して把持した際に把持感に乏しく感じられることがある。また、このような団扇では、把持部の厚さ寸法はシートの厚さ寸法と同一であるので、シートの材質によっては、把持部に強い作用が与えられた場合、例えば強くあおいだ場合や把持部を強く把持した場合等に破損してしまうこともある。
【先行技術文献】
【特許文献】
【０００３】
【特許文献１】特開２００３−６１７２６号公報
【考案の概要】
【考案が解決しようとする課題】
【０００４】
本考案は、前述した課題、すなわち、１枚のシートに把持孔を形成して形成した団扇において、把持感に乏しく感じられ、また、把持部の強度が十分でないことがあるという課題を解消することを目的としている。
【課題を解決するための手段】
【０００５】
本考案は、以上のような課題を踏まえ、次のような手段を講じたものである。
【０００６】
すなわち、本考案に係る団扇は、１枚のシートから形成した団扇であって、前記シートに形成した把持孔と、この把持孔近傍の部位を所定の折り曲げ稜線に沿って折り返すことにより形成した把持部と、この把持部の内部に略全体を収納させてなる係止舌片とを具備することを特徴とする。
【０００７】
このようなものであれば、前記シートの把持孔近傍の部位を折り返して前記把持部を形成することにより、把持部の厚み寸法をシート自体の厚み寸法より大きくすることができる。そして、このように把持部の厚み寸法を大きくすることにより、把持部を把持した際に把持感を与えることができるとともに、把持部の強度も確保できる。その上、把持部の内部に係止舌片の略全体を収納させて把持部の位置決めを行っているので、接着剤を使用せずに把持部の位置決めを行うことができ、しかも、このような団扇の把持部の一表面に印刷を施して広告媒体として用いるに際して、係止舌片により前記印刷を施した表面が隠蔽されにくい。従って、前記印刷を施した表面が隠蔽されることにより広告媒体としての価値が損なわれる不具合の発生を抑制できる。
【０００８】
このような係止舌片を把持部の内部に収納させるようにするための具体的な構成の一例として、前記把持部のいずれかの折り曲げ稜線の上に前記係止舌片を差し込み収納させるための係止孔を設けたものが挙げられる。
【０００９】
また、前記シートの周縁と把持孔との間に、前記把持孔から遠い順に第１、第２、及び第３の折り曲げ稜線を設定し、前記第１、第２、及び第３の折り曲げ稜線に沿って前記シートを同一方向に折り曲げることにより前記把持部を折り返して形成するようにしているものであって、前記第１の折り曲げ稜線上に前記係止舌片を差し込み収納させるための係止孔を設けたものであれば、前記把持部が三角柱状となるので、このような把持部の強度をより有効に確保できる。
【００１０】
さらに、上述した課題を解決した上で、このような団扇の組立作業をより容易に行うことができるようにするためには、前記係止舌片を、前記把持孔内から前記把持孔と反対方向に折り返して形成しているとともに、前記把持部の第１及び第２の折り曲げ稜線に沿ってシートを折り曲げ、さらに前記係止舌片を折り返して形成した状態で、前記係止舌片の先端部が前記係止孔内に位置するものが望ましい。このようなものであれば、前記把持部の第１及び第２の折り曲げ稜線及び前記係止舌片を折り返し、前記係止舌片の先端部を前記係止孔内に位置させた状態で前記第３の折り曲げ稜線に沿ってシートを折り曲げつつ前記把持部を前記把持孔及び係止舌片に向けて移動させることにより、前記係止舌片を前記係止孔に差し込む操作を行いつつ前記把持部の形状を完成させることができるからである。
【００１１】
加えて、このような団扇の組立をさらに容易に行えるようにするには、前記折り曲げ稜線に予め折り癖を付しているものが望ましい。
【考案の効果】
【００１２】
本考案に係る団扇の構成によれば、シートの把持孔近傍の部位を折り返して把持部を形成しているので、従来の１枚のシートに把持孔を設けて形成した団扇と比較して、把持部の厚み寸法をより大きくできる。そして、このように把持部の厚み寸法を大きくすることにより、把持部を把持した際に把持感を与えることができるとともに、把持部の強度も確保できる。その上、把持部の内部に係止舌片の略全体を収納させて把持部の位置決めを行っているので、接着剤を使用せずに把持部の位置決めを行うことができ、しかも、団扇の把持部の一表面に広告等のために施した印刷が隠蔽されにくい。
【図面の簡単な説明】
【００１３】
【図１】本考案の一実施形態に係る団扇の全体斜視図。
【図２】同実施形態に係る団扇の把持部及びその近傍の中央縦断面図。
【図３】同実施形態に係る団扇の展開図。
【図４】同実施形態に係る団扇の組立態様を説明するための図。
【図５】図４におけるＸ−Ｘ断面図。
【図６】同実施形態に係る団扇の組立態様を説明するための図。
【考案を実施するための形態】
【００１４】
以下、本考案の一実施形態について述べる。
【００１５】
本実施形態は、図１及び図２に示すように、１枚のシートから形成した団扇１である。この団扇１は、把持孔５を有する団扇本体２と、この団扇本体２の一端縁と把持孔５との間に位置し前記シートの把持孔５近傍の部位を折り返すことにより形成した把持部３と、この把持部３の内部に略全体を収納させた状態で把持部３の団扇本体２の対する位置決めを行うための係止舌片４とを具備する。なお、本実施形態では、前記シートは厚紙により形成している。
【００１６】
具体的には、前記把持部３は、前記シートの一端縁と前記把持孔５との間の部位に設定した第１の折り曲げ稜線３ａ、第２の折り曲げ稜線３ｂ、及び第３の折り曲げ稜線３ｃに沿って折り返すことにより形成している。ここで、前記第１〜第３の折り曲げ稜線３ａ〜３ｃは、互いに平行である。また、前記第１の折り曲げ稜線３ａが把持孔５から最も遠く、前記第３の折り曲げ稜線３ｃは最も把持孔５に近い。そして、第２の折り曲げ稜線３ｂはこれら第１及び第３の折り曲げ稜線３ａ、３ｃの間に位置する。
【００１７】
より具体的には、前記把持部３は、前記図１、前記図２、及び図３に示すように、シートの周縁と前記第１の折り曲げ稜線３ａとの間に形成される被収納部３１、前記第１の折り曲げ稜線３ａと前記第２の折り曲げ稜線３ｂとの間に形成される把持面部３２、及び前記第２の折り曲げ稜線３ｂと前記第３の折り曲げ稜線３ｃとの間に形成される起立面部３３を有する三角柱状をなす。また、前記第１の折り曲げ稜線３ａ上には前記係止舌片４を差し込み収納させるための係止孔６を設けている。なお、本実施形態では、前記把持面部３２の一表面に印刷を施している。そして、団扇１を組み立てた状態で前記印刷が外部に露出するようにしている。なお、前記図３では、前記第１〜第３の折り曲げ稜線３ａ〜３ｃを便宜上一点鎖線により示しているが、本実施形態では、シートを前記図３の形状に打ち抜く打抜き加工の際に、前記第１〜第３の折り曲げ稜線３ａ〜３ｃに折り癖を付している。
【００１８】
一方、前記係止舌片４は、本実施形態では、前記図３に示すように、シートを展開した状態では、前記把持孔５内において前記把持部３と反対方向に延伸する舌片である。そして、この係止舌片４の基端部に形成した舌片折り曲げ稜線４ａに沿ってこの係止舌片４を前記把持部３に向かう方向に折り返した状態で、前記把持部３の第１の折り曲げ稜線３ａ上に形成した係止孔６にこの係止舌片４を差し込むことにより把持部３の団扇本体２に対する位置決めを行うようにしている。ここで、図４及び図５に示すように、前記把持部３の第１及び第２の折り曲げ稜線３ａ、３ｂを順次同一方向に折り曲げ、第３の折り曲げ稜線３ｃは折り曲げていない状態においてこの係止舌片４を前記把持部３に向かう方向に折り返すと、この係止舌片４の先端部が前記係止孔６内に位置する。
【００１９】
ここで、この団扇１の組立は以下のようにして行う。
【００２０】
まず、図３に示す状態から、第１及び第２の折り曲げ稜線３ａ、３ｂを順次同一方向に折り曲げるとともに、前記係止舌片４を前記把持部３に向けて折り返して形成し、前記図４及び図５に示すような状態にする。このとき、上述したように、前記係止舌片４の先端部は、前記係止孔６内に位置する。この状態から第３の折り曲げ稜線３ｃに沿ってシートを折り曲げつつ前記把持部３を前記把持孔５に向けて移動させると、前記係止舌片４が係止孔６を通過して前記把持部３の被収納部３１と把持面部３２との間の空間に進入し、図６に縦断面を示すような状態となる。この際、第２の折り曲げ稜線３ｂと第３の折り曲げ稜線３ｃとの間に起立面部３３が形成される。そして、前記係止舌片４の略全体が前記空間に進入した状態となったところで団扇１が完成する。
【００２１】
この状態で前記把持面部３２を折り返し方向と逆方向に移動させようとすると、前記被収納部３１を介して前記係止舌片４に移動操作力が伝達され、この係止舌片４が前記把持面部３２に折り返し方向に向かう作用を与えるので、把持部３は三角柱状を維持する。
【００２２】
以上のように、本実施形態に係る団扇１の構成によれば、前記シートの把持孔５近傍の部位を折り返して前記把持部３を形成することにより、把持部３の厚み寸法を確保することができる。そして、このように把持部３の厚み寸法を確保することにより、把持部３を把持した際に把持感を与えることができるとともに、把持部３の強度も確保できる。その上、把持部３の内部に係止舌片４の略全体を収納させて把持部３の位置決めを行っているので、接着剤を使用せずに把持部３の団扇本体２に対する位置決めを行うことができ、しかも、このような団扇１の把持部３の把持面部３２の一表面、及び団扇本体２のうち把持部３の裏側の部位に施した印刷が隠蔽されにくい。従って、このような団扇１を広告媒体として用いるに際して、係止舌片４により前記印刷が隠蔽されることにより広告媒体としての価値が損なわれる不具合の発生を抑制できる。
【００２３】
また、前記シートの周縁と把持孔５との間に、前記把持孔５から遠い順に第１、第２、及び第３の折り曲げ稜線３ａ〜３ｃを設定し、前記第１、第２、及び第３の折り曲げ稜線３ａ〜３ｃに沿って前記シートを順次同一方向に折り曲げることにより前記把持部３を折り返して形成するようにしているとともに、前記第１の折り曲げ稜線３ａ上に前記係止舌片４を差し込み収納させるための係止孔６を設けているので、前記把持部３は三角柱状となる。従って、このような把持部３の強度をより有効に確保できる。
【００２４】
さらに、前記係止舌片４を、前記把持孔５内から前記把持孔５と反対方向に折り返して形成しているとともに、シートを前記第１及び第２の折り曲げ稜線３ａ、３ｂにそって折り曲げ、さらに前記舌片折り曲げ稜線４ａに沿って折り曲げて係止舌片４を形成した状態で、前記係止舌片４の先端部が前記係止孔６内に位置するので、この状態から第３の折り曲げ稜線３ｃに沿ってシートを折り曲げつつ前記把持部３を前記把持孔５に向けて移動させると、前記係止舌片４を係止孔６を通過させつつ前記把持部３の被収納部３１と把持面部３２との間の空間に進入させることができ、さらに前記第３の折り曲げ稜線３ｃを折り曲げることにより前記把持部３の形状を完成させることができる。従って、このような団扇１の組立作業を容易に行うことができる。
【００２５】
そして、団扇１となるべきシートには、前記第１〜第３の折り曲げ稜線３ａ〜３ｃに予め折り癖を付しているので、このような団扇１の組立をさらに容易に行うことができる。
【００２６】
なお、本実施形態に係る団扇１は、前記起立面部３３を底面として起立させることにより、間仕切板等として使用することも可能である。
【００２７】
また、本考案は以上に述べた実施の形態に限られない。
【００２８】
例えば、シートの周縁部を把持孔に向かう方向に複数回折り返し、折り返し片を互いに重ね合わせることにより把持部を形成するとともに、折り返し片間に係止舌片を挿入させて把持部の固定を行う態様も考えられる。
【００２９】
また、シートの周縁と把持孔との間に４本以上の折り曲げ稜線を設定し、これら折り曲げ稜線に沿ってシートを順次同一方向に折り曲げることにより多角柱状の把持部を形成するとともに、いずれかの折り曲げ稜線状に係止孔を形成してこの係止孔に係止舌片を挿入するようにしてもよい。
【００３０】
加えて、折り曲げ稜線に予め折り癖を付す代わりに、折り曲げ稜線となるべき箇所を視認可能にすべく印刷を施すようにしてもよい。
【００３１】
その他、本考案の趣旨を損ねない範囲で種々に変形してよい。
【符号の説明】
【００３２】
１…団扇
３…把持部
３ａ〜３ｃ…第１〜第３の折り曲げ稜線
４…係止舌片
５…把持孔
６…係止孔
【図１】
0003152520.tif 000003
【図２】
0003152520.tif 000004
【図３】
0003152520.tif 000005
【図４】
0003152520.tif 000006
【図５】
0003152520.tif 000007
【図６】
0003152520.tif 000008
【手続補正書】
【提出日】平成21年6月1日(2009.6.1)
【手続補正１】
【補正対象書類名】実用新案登録請求の範囲
【補正対象項目名】全文
【補正方法】変更
【補正の内容】
【実用新案登録請求の範囲】
【請求項１】
１枚のシートから形成した団扇であって、前記シートに形成した把持孔と、この把持孔近傍の部位を複数の所定の折り曲げ稜線に沿って折り返すことにより形成した把持部と、前記把持孔内において前記把持部と反対方向に延伸する舌片であり、舌片折り曲げ稜線に沿って前記把持部に向かう方向に折り返し、前記把持部のいずれかの折り曲げ稜線の上に設けた係止孔に差し込むことによりこの把持部の内部に略全体を収納させてなる係止舌片とを具備することを特徴とする団扇。
【請求項２】
前記シートの周縁と把持孔との間に、前記把持孔から遠い順に第１、第２、及び第３の折り曲げ稜線を設定し、前記第１、第２、及び第３の折り曲げ稜線に沿って前記シートを同一方向に折り曲げることにより前記把持部を折り返して形成するようにしているものであって、前記第１の折り曲げ稜線上に前記係止舌片を差し込み収納させるための係止孔を設けた請求項１記載の団扇。
【請求項３】
前記係止舌片を、前記把持孔内から前記把持孔と反対方向に折り返して形成しているとともに、前記把持部の第１及び第２の折り曲げ稜線に沿ってシートを折り曲げ、さらに前記係止舌片を折り返して形成した状態で、前記係止舌片の先端部が前記係止孔内に位置する請求項２記載の団扇。
【請求項４】
前記折り曲げ稜線に予め折り癖を付している請求項１、２又は３記載の団扇。
【手続補正２】
【補正対象書類名】明細書
【補正対象項目名】０００６
【補正方法】変更
【補正の内容】
【０００６】
すなわち、本考案に係る団扇は、１枚のシートから形成した団扇であって、前記シートに形成した把持孔と、この把持孔近傍の部位を複数の所定の折り曲げ稜線に沿って折り返すことにより形成した把持部と、前記把持孔内において前記把持部と反対方向に延伸する舌片であり、舌片折り曲げ稜線に沿って前記把持部に向かう方向に折り返し、前記把持部のいずれかの折り曲げ稜線の上に設けた係止孔に差し込むことによりこの把持部の内部に略全体を収納させてなる係止舌片とを具備することを特徴とする。
【手続補正３】
【補正対象書類名】明細書
【補正対象項目名】０００８
【補正方法】削除
【補正の内容】